(57)【特許請求の範囲】
【請求項１】
マットレスに被せるシーツであって、
前記シーツの両側部から外側に突出するウイング部が設けられ、
前記ウイング部はシーツの側部より短い長さで該側部の長さ方向中央に設けたことを特徴とするシーツ。
【請求項２】
前記ウイング部はシーツの両側部から離間する方向に次第に幅が小さくなるように形成されている請求項１に記載されたシーツ。
【請求項３】
前記シーツは、伸縮性のある生地であり、前記マットレスの頭部側端部を覆う有底筒状の頭部側カバー部と、前記マットレスの脚部側端部を覆う有底筒状の脚部側カバー部とを備えた請求項１または２に記載されたシーツ。
【請求項４】
前記頭部側カバー部と脚部側カバー部との間には前記シーツの平シーツ部の両側に接続された側部カバー部が接続され、前記頭部側カバー部と脚部側カバー部は側部カバー部より厚みが大きく形成されている請求項３に記載されたシーツ。
【請求項５】
ベッドの基板の上にマットレスが載置され、該マットレスの上にシーツが被せられており、マットレスの両側部にサイドガードが設置され、前記基板とマットレスの頭部側と脚部側の少なくとも一方が昇降して折り曲げ可能とした昇降式ベッドにおいて、
前記シーツは請求項１乃至４のいずれか１項に記載されたシーツであって、前記ウイング部はサイドガードのないマットレス中央の折り曲げ部の両側部に設けられていることを特徴とするベッド。
【発明の詳細な説明】
【技術分野】
【０００１】
本発明は、例えベッドのマットレスを被覆して人が寝るためのシーツと、このシーツを用いたベッドに関する。
【背景技術】
【０００２】
従来、例えば病院のベッドや在宅の介護用電動ベッド等では、マットレスの表面をシーツで覆っている。シーツは例えば平シーツであり、シーツ交換に際しては看護婦や介助者が四辺の端部の折り代をマットレスの裏側に折り込んで固定していた。
また、シーツの四隅にボックスシーツゴムを設置したものもあり、シーツをマットレスに覆う際に、各角部のゴムをマットレスの角部裏面に取り付けてシーツを固定している。
【０００３】
或いは、特許文献１に記載されたように、マットレスの表面にＢＯＸ型のシーツを被せて裏面側に位置する長方形状の開口縁部の全周に紐通し用袋部を形成し、この紐通し用袋部にゴム等の伸縮性締め付け部材を挿通して表側のシーツを引っ張っていた。そして、シーツ本体の開口縁部の対向する２辺に係止具を係止させた伸縮性紐部材によって開口縁部を引っ張り、シーツ表面をピンと張ってマットレスにフィットさせていた。
【０００４】
そして、病院のベッドや介護用電動ベッドは、電動操作やハンドル操作等によって、ベッドの頭部側の半身のマットレスや脚部側の半身のマットレスをその裏面側の基板と共に上昇させて半身を起こす（ギャッジアップ）ことと、起こしたマットレスと基板を平面状に降下させて半身を寝かす（ギャッジダウン）ことのできる昇降装置を備えている。
患者や要介護者の上半身をギャッジアップすることで飲食等を行うことができる。そのとき、患者や要介護者の身体がシーツ上でずれないように、脚部側のマットレスも少しギャッジアップすることもある。
【先行技術文献】
【特許文献】
【０００５】
【特許文献１】特開２０１０−１７２８８号公報
【発明の概要】
【発明が解決しようとする課題】
【０００６】
しかしながら、上述した病院のベッドや介護用電動ベッド等では、これらシーツで覆われたマットレスと共に病人や要介護者の半身を起こすとベッドの折り曲げ部のシーツにしわや折り目が発生してしまい、傾斜させたマットレスを倒して平らにしても、しわが残ることがある。すると、高齢者等では、シーツに発生するしわが身体に継続して接触することで床ずれの原因になることがあった。
しかも、平シーツでは、マットレスの昇降時や、患者または要介護者がベッドから乗り降りする際等にシーツが横ずれし易く、しわが残り易いという欠点があった。
【０００７】
また、裏面にゴム等の伸縮性紐部材や伸縮性締め付け部材を取り付けたＢＯＸ型シーツは、マットレスへの取り付けや取り外しに手間がかかる欠点があった。また、シーツを交換して洗濯等して保管する場合、ゴムの伸縮性能によってシーツ全体が丸められたり縮んでくしゃくしゃになったりしてしまうため、折り畳んで保管することができなかった。そのため、シーツの保管スペースが広く必要になるために介護現場の保管場所等に収納するのに不便であり、しかもシーツ数量の在庫管理がしにくかった。
四隅にボックスシーツゴムを設置したシーツでは、シーツの縦方向と横方向の区別がつきにくく間違い易いためにマットレスへの正確な設置を迅速に行うことができなかった。
【０００８】
本発明は、このような課題に鑑みて、マットレスの一部を昇降させて折り曲げてもしわや横ずれが生じない上に、保管に際して折り畳んで保管できて便利なシーツ及びこのシーツを用いたベッドを提供することを目的とする。
【課題を解決するための手段】
【０００９】
本発明によるシーツは、マットレスに被せるシーツであって、シーツの両側部から外側に突出するウイング部が設けられ、ウイング部はシーツの側部より短い長さで該側部の長さ方向中央に設けたことを特徴とする。
本発明によるシーツは、シーツの両側部から外側にウイング部が突出しているため、ウイング部を折り曲げてマットレスの下に折り込むようにすれば、マットレスへのシーツの着脱が簡単で迅速であり、しかも、ベッド等からマットレスの半身を起こしてマットレスを折り曲げる場合やベッド等から患者や要介護者が乗り降りする際に、しわが発生しにくい上にシーツの横ずれを防止できる。しかも、ベッドの側部にサイドガードが設置されていても、その間隙でウイング部をマットレスの裏面に折り込むことができるため、作業が容易である。
また、シーツの裏面の開口部にゴム等の伸縮性部材を設けないから、折り畳みが容易であり、場所をとらないで保管できる。
【００１０】
また、ウイング部はシーツの両側部から離間する方向に次第に幅が小さくなるように形成されていることが好ましい。
ウイング部がシーツの両側部から突出して先細状に幅が狭くなるので、マットレスの裏面に折り込み易く、ウイング部の折れ曲がり等が生じにくい。
【００１１】
また、シーツは、伸縮性のある生地であり、マットレスの頭部側端部を覆う有底筒状の頭部側カバー部と、マットレスの脚部側端部を覆う有底筒状の脚部側カバー部とを備えていてもよい。
シーツの両端部に有底筒状の頭部側カバー部と脚部側カバー部とを設けたから、マットレスにシーツを覆う際、マットレスの頭部側を頭部側カバー部で覆って係止させると共にマットレスの足部側を脚部側カバー部で覆って係止させることで、シーツがずれることなく緊張した状態でマットレスを覆うことができ、しかもシーツの両側部における頭部側カバー部と脚部側カバー部の間に形成したウイング部で引っ張り状態を維持できるため、マットレスの昇降時であってもシーツにしわや横ずれができにくい。
また、シーツに頭部側カバー部と脚部側カバー部を設けたことでマットレスのサイズがシーツと相違していてもフィットさせることができる上にベッドメイキングを迅速にできる。
【００１２】
また、頭部側カバー部と脚部側カバー部との間にはシーツの平シーツ部の両側に接続された側部カバー部が接続され、頭部側カバー部と脚部側カバー部は側部カバー部より厚みが大きく形成されていてもよい。
側部カバー部でマットレスの側面を覆い、シーツによってマットレスをフィットさせて被覆することができる。しかも、マットレスの厚みが側部カバー部より大きくても頭部側カバー部と脚部側カバー部に挿入して装着できる。
【００１３】
本発明によるベッドは、ベッドの基板の上にマットレスが載置され、マットレスの上にシーツが被せられており、マットレスの両側部にサイドガードが設置され、基板とマットレスの頭部側と脚部側の少なくとも一方が昇降して折り曲げ可能とした昇降式ベッドにおいて、シーツは上述したいずれかに記載されたシーツであって、ウイング部はサイドガードのないマットレス中央の折り曲げ部の両側部に設けられていることを特徴とする。
本発明によるベッドによれば、マットレスにシーツをフィットさせて被覆することができ、しかもサイドガードのない間隙からウイング部をマットレスの裏面に折り込むことでマットレスの一部を昇降させて折り曲げてもシーツの折り曲げ部にしわや横ずれが発生しにくく、床ずれの原因を生じない。
【発明の効果】
【００１４】
本発明によるシーツ及びベッドによれば、シーツの両側部に設けたウイング部をマットレスの裏面側に折り込んでセットすることで、マットレスを昇降させて折り曲げたり平面状にしたりしたとしてもシーツをウイング部で引っ張っているためにしわや横ずれが発生しにくく、病人や要介護者等の床ずれの発生を抑制できる。しかも、ベッドの側部にサイドガードが設置されていても、その間隙を通してウイング部をマットレスの裏面に折り込むことができるため、作業が容易である。
しかもシーツの裏面の開口部にゴム等の伸縮性部材を設けないから、シーツの折り畳みが容易であり、伸縮性部材によって丸くなったりくしゃくしゃになったりしないから介護現場等であっても場所をとらないで保管できる。
【図面の簡単な説明】
【００１５】
【図１】本発明の実施形態によるシーツの表面側を示す斜視図である。
【図２】図１に示すシーツの裏面図である。
【図３】（ａ）は実施形態によるシーツにマットレスを被せた状態の下方から見た図であり、（ｂ）は頭部側カバー部または脚部側カバー部をマットレスの頭部に掛けた状態の要部縦断面図である。
【図４】本実施形態によるシーツをベッドに載置した平坦なマットレスに被せた状態の斜視図である。
【図５】図４に示すベッドのサイドガードの間隙部分を示す部分拡大図である。
【図６】図４に示すベッドの頭部側を上昇させて折り曲げた状態を示す斜視図である。
【図７】本実施形態の変形例を示すもので、シーツを被覆したマットレスを座位に折り曲げた状態を示す斜視図である。
【発明を実施するための形態】
【００１６】
以下、添付図面を参照して、本発明の実施形態によるシーツとベッドについて説明する。しかし、本発明はこれらの実施形態のみに限定されるものではない。
図１及び図２に示すように、マットレス１０用のシーツ１は、平面視略長方形であり、病人や要介護者等が寝た状態で頭部が位置する天地の一方の短辺側を頭部側といい、足部が位置する他方の短辺側を脚部側というものといい、対向する長辺側を側部または両側部というものとする。
シーツ１は例えば伸縮性のある生地と糸で縫製されていることが好ましく、マットレス１０の表面を覆う例えば長方形状の平シーツ部２と、平シーツ部２の裏面において頭部側の端部に形成されていて有底角筒状の頭部側カバー部３と、足部側の端部に設けられた有底角筒状の脚部側カバー部４とを備える。なお、頭部側カバー部３と脚部側カバー部４は同形状であることが好ましく、マットレス１０の頭部側端部にいずれのカバー部３、４を装着してもよい。
【００１７】
そして、平シーツ部２の両側部には、被覆するマットレス１０の厚みに対応する側部カバー部５が形成され、側部カバー部５の両端部は頭部側カバー部３と脚部側カバー部４に接続されている。頭部側カバー部３と脚部側カバー部４は、側部カバー部５よりも厚みが若干大きく設定されている。例えば、側部カバー部５の厚みを６５ｍｍとした場合、側部カバー部５の厚みより頭部側カバー部３及び脚部側カバー部４の厚みの方が１５ｍｍ程度大きく設定されており、この１５ｍｍ程度の厚みの大きい部分を追加部３ａ、４ａというものとする。
なお、これら頭部側カバー部３と脚部側カバー部４は、マットレス１０の天地の端部を挿入可能な開口部を有するボックス形状をなしている。
【００１８】
頭部側カバー部３及び脚部側カバー部４の追加部３ａ，４ａは、側部カバー部５の幅（厚み）に対してマットレス１０の厚みが大きい場合でも、頭部側カバー部３及び脚部側カバー部４でマットレス１０の頭部側と脚部側の端部を挿入してシーツ１をフィットさせることができるようにしている。特にシーツ１は伸縮性のあるハニカムメッシュ性の生地で縫製されているから、マットレス１０の厚みが頭部側カバー部３及び脚部側カバー部４の厚みより多少大きくても収納可能とされている（図３参照）。
上述のように、シーツ１の頭部側カバー部３と脚部側カバー部４の厚みを例えば８０ｍｍとすることで、シーツ１の生地が伸縮性のあるハニカムメッシュの生地であるので、マットレスの厚みが、例えば８０ｍｍ〜１２０ｍｍの範囲のものを収納できる。
【００１９】
また、図２に示すように、頭部側カバー部３及び脚部側カバー部４の対向する端部には引っ張り状態の収縮部として例えば一対のゴム７がそれぞれ縫い込まれている。これによって、マットレス１０の頭部側端部と脚部側端部を頭部側カバー部３と脚部側カバー部４にそれぞれ嵌合させると、頭部側カバー部３と脚部側カバー部４はゴム７によりマットレス１０の頭部側端部と脚部側端部に密着した状態に保持する。
【００２０】
また、平シーツ部２の両側部中央には、側部カバー部５の自由端から平シーツ部２の長手方向に直交する方向にウイング部８が突出して形成されている。ウイング部８は飛行機の翼と同様に先端側に向かうに従って先細になるように両側にテーパが形成されており、マットレス１０の裏面側に折り込み可能とされている。
【００２１】
次に、このシーツ１を装着したマットレス１０を設置したベッド１２の構成について図４から図６により説明する。
図４に示すベッド１２は、分割して折り曲げ可能な基板１３を備えた基部フレーム１４の下部四隅に車輪１５が設置されている。基部フレーム１４は基板１３とマットレス１０について、例えば頭部側半分と脚部側半分を個別に昇降可能な昇降機構（図示せず）を備えている。そして、基部フレーム１４の頭部側端部にはヘッドプレート１６が固定され、これに対向する脚部側端部にはレッグプレート１７が固定されている。
なお、ヘッドプレート１６とレッグプレート１７のいずれか一方または両方は設置を省略してもよい。
【００２２】
そして、マットレス１０の両側面にはそれぞれ柵として一対のサイドガード１９が着脱可能に設置されている。しかも、各側面において、一対のサイドガード１９はヘッドプレート１６側とレッグプレート１７側に寄っているため、両サイドガード１９の間に間隙Ｋが形成されている。そして、マットレス１０の折り曲げ部１０ａはこの間隙Ｋの領域にあるものとする（図６参照）。
【００２３】
本実施形態によるシーツ１及びベッド１２は上述の構成を備えており、次にベッド１２のマットレス１０へのシーツ１の取り付け方法と使用方法について説明する。
図４において、ベッド１２の基板１３上に平らに載置されたマットレス１０について、その上に本実施形態によるシーツ１を載せて、マットレス１０の例えば頭部側端部を持ち上げ、頭部側端部にシーツ１の頭部側カバー部３を、開口部を通してはめ込む。そして、マットレス１０の脚部側端部を持ち上げて脚部側カバー部４を、開口部を通してはめ込む。
【００２４】
次に、図４及び図５に示すように、ベッド１２の両側部において、一対のサイドガード１９の間の間隙Ｋからシーツ１のウイング部８をマットレス１０の裏側に折り込んで固定する。こうして、シーツ１の平シーツ部２がマットレスの表面に緊張してフィットされ、図４に示すようにベッド１２にカバーメイクができあがる。
【００２５】
このようなベッド１２において、病院内で患者が病臥している場合や、在宅で要介護者が仰臥している場合について、ベッド１２のギャッジアップ及びギャッジダウンによる使用方法を説明する。
図４に示すように、ベッド１２のマットレス１０を水平に設置して患者や要介護者が寝ている状態から、例えば上半身を起こす場合、基板１３とマットレス１０の頭部側を電動または手動操作でギャッジアップ（起こす）する。マットレス１０の折り曲げ部１０ａを中心にして基板１３とマットレス１０の頭部側部分がギャッジアップして、マットレス１０の折り曲げ部１２ａ上にシーツ１の折り目ができる。
【００２６】
このとき、シーツ１は折り曲げ部１０ａ上に折り目ができるが、両側部のウイング部８がマットレス１０の裏面に折り込まれていて引っ張られた状態で押さえ込まれているため、シーツ１が折り曲げ部１０ａ付近に引き寄せられることがなく、しわにならず、しかも、横ずれを生じない。
また、マットレス１０の頭部側を基板１３と共にギャッジアップ状態から仰臥状態に戻す場合、電動または手動操作でマットレス１０をギャッジダウンさせると、シーツ１もウイング部８がマットレス１０で抑え込まれているため折り目や横ずれがなくなり、元の状態に戻される。
また、マットレス１０の脚部側をギャッジアップする場合やギャッジダウンさせる場合も同様である。
【００２７】
上述のように本実施形態によるシーツ１及びベッド１２によれば、シーツ１は頭部側及び脚部側カバー部３，４とウイング部８によってマットレス１０に密着させて被覆でき、しかもシーツ１の頭部側及び脚部側カバー部３，４は側部カバー部５の幅より厚い追加部３ａ，４ａを加えたボックス型形状であるから、側部カバー部５の幅より大きな厚みや異種形状のマットレス１０であってもぴったりフィットしてカバーできる。
マットレス１０及び基板１３を折り曲げ部１０ａでギャッジアップした状態やギャッジダウンして平らに戻した状態でも、シーツ１にしわが発生したり横ずれを生じたりしない。
【００２８】
また、シーツ１の裏面の開口部に表面を引っ張るためのゴム等の伸縮性部材を設けないから、マットレス１０から外した洗濯後等の状態でシーツ１の折り畳みが容易であり、丸くなったりくしゃくしゃになったりしないから、場所をとらないで小さなスペースに保管できる。
しかも、ベッド１２の側部にサイドガード１９が設置されていても、その間隙Ｋでウイング部８をマットレス１０の裏面に折り込むことができるため、ベッドメイキング作業が容易で迅速である。  
【００２９】
なお、本発明によるシーツ１及びベッド１２は、上述した実施形態に限定されるものではなく、本発明の要旨を変更しない範囲で様々な置換や変形等を適用することができる。また、下記の変形例にも、本発明の主旨を逸脱しない限り、上記実施の形態で挙げた構成を取捨選択したり、他の構成に適宜変更することが可能である。
例えば、図７に示すように、シーツ１を被覆したマットレス１０について、座位となるように複数の折り曲げ部１０ａによって折り曲げることができる。
【００３０】
また、本実施形態によるシーツ１について、一例を挙げると、表地を４０番単糸で綿１００％とし、裏地を７５デニールでポリエステル１００％または綿６５％×ポリエステル３５％とした生地とし、シーツ１の長さ×幅を１８４０ｍｍ×８８０ｍｍとし、頭部側カバー部３及び脚部側カバー部４の厚み（マチ）を８０ｍｍとした。また、シーツ１の長手方向の長さを１８４０ｍｍとして、シーツ１の長手方向におけるウイング部８を形成した位置を、頭部側から長さ７２０ｍｍの位置とし、ウイング部８の底部の長さを４００ｍｍとした。
また、このシーツ１を装着することができるマットレス１０は、長手方向の長さ１８５０ｍｍ〜２０００ｍｍ×幅８５０ｍｍ〜９００ｍｍ×厚み８０ｍｍ〜１２０ｍｍである。
【００３１】
また、ウイング部８の形状は両側にテーパを形成した先細の翼形状に形成したが、これに限定されるものではなく、片側にテーパ形状を形成してもよく、或いは長方形状や先端に向かって幅が広がる逆テーパ形状でもよい。
なお、上述した実施形態では、マットレス１０をベッド１２の基板１３に載置するベッド用マットレス１０としたが、本発明によるマットレス１０はこのような用途のもの限定されるものではなく、ベッド１２以外に用いる、例えば布団や椅子等に用いるマットレスであってもよい。
【００３２】
また、シーツ１において、頭部側カバー部３と脚部側カバー部４を同一形状に形成し、マットレス１０の両端部の天地いずれの側でも装着可能とすることが好ましいが、異なっていてもよい。また、シーツ１の両側部に少なくともウイング部８が形成されていればよく、頭部側カバー部３と脚部側カバー部４を省略してもよい。
また、ウイング部８はシーツ１の長手方向の両側部において、頭部側カバー部３と脚部側カバー部４から等距離に形成することが好ましいが、必ずしも等距離に形成する必要はなく、長手方向にずれた位置に形成してもよく、ベッド１２の間隙Ｋの範囲内であることが好ましい。
【符号の説明】
【００３３】
１  シーツ
２  平シーツ部
３  頭部側カバー部
４  脚部側カバー部
５  側部
８  ウイング部
１０  マットレス
１２  ベッド
１３  基板
１４  基部フレーム
１６  ヘッドプレート
１７  レッグプレート
１９  サイドガード
Ｋ  間隙
【図１】
0005514261.tif 000002
【図２】
0005514261.tif 000003
【図３】
0005514261.tif 000004
【図４】
0005514261.tif 000005
【図５】
0005514261.tif 000006
【図６】
0005514261.tif 000007
【図７】
0005514261.tif 000008